(57)【特許請求の範囲】
【請求項１】
被検体内に挿入される測定プローブが接続され、生体組織に対して光学測定を行う生体光学測定装置であって、
前記測定プローブが着脱自在に接続されるコネクタ部と、
前記コネクタ部に空気を供給する供給部と、
前記コネクタ部と前記供給部とを連通する配管と、
前記配管の圧力値を検出する圧力検出部と、
前記測定プローブが前記コネクタ部に接続された状態で、前記圧力検出部が検出した前記圧力値に基づいて、前記コネクタ部の摩耗を判定する摩耗判定部と、
を備えたことを特徴とする生体光学測定装置。
【請求項２】
前記コネクタ部は、
筒状をなし、前記測定プローブが挿入可能なアダプタ部材と、
前記アダプタ部材に挿入可能であり、光を伝播する光ファイバを保持する保持部材と、
前記保持部材を前記アダプタ部材に固定する固定部材と、
を有し、
前記アダプタ部材には、
前記測定プローブと対向する面に円環状に切り欠かれた切欠部と、
前記アダプタ部材の外周側と前記切欠部とを連通する溝部と、
内周側と外周側とを貫通し、前記配管を介して前記供給部が接続される貫通孔と、
が形成されていることを特徴とする請求項１に記載の生体光学測定装置。
【請求項３】
前記コネクタ部は、円柱状をなし、光を伝播する光ファイバを保持し、前記測定プローブと対向する面に前記測定プローブを挿入可能な挿入孔を有し、
前記挿入孔には、長手方向に沿って円環状に切り欠かれた第１の溝部および第２の溝部が形成され、
前記第１の溝部には、径方向に沿って貫通し、前記コネクタ部内の空気を排気する排気孔が形成され、
前記第２の溝部には、径方向に沿って貫通し、前記配管を介して前記供給部が接続された貫通孔が形成されたことを特徴とする請求項１に記載の生体光学測定装置。
【請求項４】
前記コネクタ部に摩耗が生じていることを示す情報を出力する出力部と、
前記摩耗判定部が前記コネクタ部に摩耗が生じていると判定した場合、前記コネクタ部に摩耗が生じていることを示す情報を前記出力部に出力させる出力制御部と、
をさらに備えたことを特徴とする請求項１に記載の生体光学測定装置。
【請求項５】
生体組織に対して光学測定を行う生体光学測定装置のコネクタ部に対して、着脱自在に接続される測定プローブであって、
前記コネクタ部の内径と同じ径を有する円柱状をなし、前記コネクタ部に挿入可能であって、光を伝播する光ファイバを保持する本体部と、前記本体部から径方向に向けて突起して設けられ、前記コネクタ部の外径より小さい径を有する円環状のフランジ部とを有する保持部材と、
前記保持部材を前記コネクタ部に固定する固定部材と、
を備え、
前記本体部には、前記コネクタ部と対向する面の他面側と連通し、中心側に向けて一部が切り欠かれた切欠部が形成され、
前記フランジ部には、前記固定部材と対向する面であって、前記保持部材の中心軸と直交する面に、前記切欠部と連通し、外周側に開口する溝部が形成されたことを特徴とする測定プローブ。
【請求項６】
被検体内に挿入される測定プローブと、前記測定プローブを介して前記被検体内の生体組織に対して光学測定を行う生体光学測定装置と、を備えた生体光学測定システムであって、
前記生体光学測定装置は、
前記測定プローブが着脱自在に接続されるコネクタ部と、
前記コネクタ部に空気を供給する供給部と、
前記コネクタ部と前記供給部とを連通する配管と、
前記配管の圧力値を検出する圧力検出部と、
前記測定プローブが前記コネクタ部に接続された状態で、前記圧力検出部が検出した前記圧力値に基づいて、前記コネクタ部の摩耗を判定する摩耗判定部と、
を備えたことを特徴とする生体光学測定システム。
【発明の詳細な説明】
【技術分野】
【０００１】
本発明は、生体組織の光学特性を測定する生体光学測定装置、生体光学測定装置に接続される測定プローブおよび生体光学測定システムに関する。
【背景技術】
【０００２】
近年、生体組織に照明光を照射し、生体組織から反射または散乱された検出光の測定値に基づいて、生体組織の性状を推定する生体光学測定装置が知られている。生体光学測定装置は、消化器等の臓器を観察する内視鏡と組み合わせて使用される。このような生体光学測定装置として、空間コヒーレント長の短い低コヒーレントの白色光を測定プローブの照明ファイバ先端から生体組織に照射し、複数の角度の散乱光の強度分布を複数の受光ファイバを用いて測定することによって、生体組織の性状を検出するＬＥＢＳ（Low-Coherence  Enhanced  Backscattering  Spectroscopy）を用いた生体光学測定装置が提案されている（特許文献１参照）。【０００３】
上述した生体光学測定装置と測定プローブとは、ＳＭＡ（Sub-Miniature  Type  A）コネクタを用いて光学的に接続される。図１３は、従来の生体光学測定装置および測定プローブのコネクタにＳＭＡコネクタを用いて接続した際の状況を示す断面図である。図１３に示す生体光学測定装置１０００は、筐体１００１にコネクタ部１００２がナット１００３によって固定されている。コネクタ部１００２は、両端から光ファイバ１００４を保持するＳＭＡコネクタ１００５およびＳＭＡコネクタ１００６がそれぞれ挿入されて螺合して固定される。これにより、ＳＭＡコネクタ１００５の端面とＳＭＡコネクタ１００６の端面とが接合することで、互いの光ファイバ１００４が光学的に結合される。
【先行技術文献】
【特許文献】
【０００４】
【特許文献１】米国特許出願公開第２０１０／００５３６３２号明細書
【発明の概要】
【発明が解決しようとする課題】
【０００５】
しかしながら、上述した従来のＳＭＡコネクタは、コネクタ部の内部がＳＭＡコネクタと接触して摩耗し、測定プローブの光ファイバの端面と生体光学測定装置の光ファイバ同士の光軸がずれることによって、光ファイバ同士の接続効率が低下するという問題点がある。生体光学測定装置は、光ファイバの径が微小なため、コネクタ部の摩耗が非常に微小であっても、光ファイバの光学性能に影響が生じる。【０００６】
一方、生体光学測定装置は、コネクタ部の摩耗が大きくなっても、測定プローブの着脱感に影響が現れないため、ユーザがコネクタ部の磨耗に気づくことができなかった。このため、コネクタ部の摩耗を正確に判定する技術が望まれていた。【０００７】
本発明は、上記に鑑みてなされたものであって、コネクタ部の磨耗を正確に判定することができる生体光学測定装置、測定プローブおよび生体光学測定システムを提供することを目的とする。
【課題を解決するための手段】
【０００８】
上述した課題を解決し、目的を達成するために、本発明にかかる生体光学測定装置は、被検体内に挿入される測定プローブが接続され、生体組織に対して光学測定を行う生体光学測定装置であって、前記測定プローブが着脱自在に接続されるコネクタ部と、前記コネクタ部に空気を供給する供給部と、前記コネクタ部と前記供給部とを連通する配管と、前記配管の圧力値を検出する圧力検出部と、前記測定プローブが前記コネクタ部に接続された状態で、前記圧力検出部が検出した前記圧力値に基づいて、前記コネクタ部の摩耗を判定する摩耗判定部と、を備えたことを特徴とする。【０００９】
また、本発明にかかる生体光学測定装置は、上記発明において、前記コネクタ部は、筒状をなし、前記測定プローブが挿入可能なアダプタ部材と、前記アダプタ部材に挿入可能であり、光を伝播する光ファイバを保持する保持部材と、前記保持部材を前記アダプタ部材に固定する固定部材と、を有し、前記アダプタ部材には、前記測定プローブと対向する面に円環状に切り欠かれた切欠部と、前記アダプタ部材の外周側と前記切欠部とを連通する溝部と、内周側と外周側とを貫通し、前記配管を介して前記供給部が接続される貫通孔と、が形成されていることを特徴とする。【００１０】
また、本発明にかかる生体光学測定装置は、上記発明において、前記コネクタ部は、円柱状をなし、光を伝播する光ファイバを保持し、前記測定プローブと対向する面に前記測定プローブを挿入可能な挿入孔を有し、前記挿入孔には、長手方向に沿って円環状に切り欠かれた第１の溝部および第２の溝部が形成され、前記第１の溝部には、径方向に沿って貫通し、前記コネクタ部内の空気を排気する排気孔が形成され、前記第２の溝部には、径方向に沿って貫通し、前記配管を介して前記供給部が接続された貫通孔が形成されたことを特徴とする。【００１１】
また、本発明にかかる生体光学測定装置は、上記発明において、前記コネクタ部に摩耗が生じていることを示す情報を出力する出力部と、前記摩耗判定部が前記コネクタ部に摩耗が生じていると判定した場合、前記コネクタ部に摩耗が生じていることを示す情報を前記出力部に出力させる出力制御部と、をさらに備えたことを特徴とする。【００１２】
また、本発明にかかる測定プローブは、生体組織に対して光学測定を行う生体光学測定装置のコネクタ部に対して、着脱自在に接続される測定プローブであって、前記コネクタ部の内径と同じ径を有する円柱状をなし、前記コネクタ部に挿入可能であって、光を伝播する光ファイバを保持する本体部と、前記本体部から径方向に向けて突起して設けられ、前記コネクタ部の外径より小さい径を有する円環状のフランジ部とを有する保持部材と、前記保持部材を前記コネクタ部に固定する固定部材と、を備え、前記本体部には、前記コネクタ部と対向する面の他面側と連通し、中心側に向けて一部が切り欠かれた切欠部が形成され、前記フランジ部には、前記固定部材と対向する面であって、前記保持部材の中心軸と直交する面に、前記切欠部と連通し、外周側に開口する溝部が形成されたことを特徴とする。【００１３】
また、本発明にかかる測定プローブは、生体組織に対して光学測定を行う生体光学測定装置のコネクタ部に対して、着脱自在に接続される測定プローブであって、前記コネクタ部の内径と同じ径を有する円柱状をなし、中心側に向けて円環状に切り欠かれた溝部が形成され、前記コネクタ部に挿入可能であって、光を伝播する光ファイバを保持する本体部と、円環状をなし、前記溝部に取り付けられ、径方向に向けて弾性変形可能な押圧部材と、を備えたことを特徴とする。【００１４】
また、本発明にかかる生体光学測定システムは、被検体内に挿入される測定プローブと、前記測定プローブを介して前記被検体内の生体組織に対して光学測定を行う生体光学測定装置と、を備えた生体光学測定システムであって、前記生体光学測定装置は、前記測定プローブが着脱自在に接続されるコネクタ部と、前記コネクタ部に空気を供給する供給部と、前記コネクタ部と前記供給部とを連通する配管と、前記配管の圧力値を検出する圧力検出部と、前記測定プローブが前記コネクタ部に接続された状態で、前記圧力検出部が検出した前記圧力値に基づいて、前記コネクタ部の摩耗を判定する摩耗判定部と、を備えたことを特徴とする。
【発明の効果】
【００１５】
本発明によれば、測定プローブがコネクタ部に接続された状態で、磨耗判定部がコネクタ部に空気を供給する供給部とコネクタ部との配管上に設けられた圧力検出部によって検出された供給路内における圧力値に基づいて、コネクタ部の磨耗を判定するので、コネクタ部の磨耗を正確に判定することができるという効果を奏する。
【図面の簡単な説明】
【００１６】
【図１】図１は、本発明の実施の形態１にかかる生体光学測定システムの構成を模式的に示すブロック図である。
【図２】図２は、本発明の実施の形態１にかかる生体光学測定システムの生体光学測定装置のコネクタ部の長手方向に沿って切断した断面図である。
【図３】図３は、図２の矢視Ａ方向の正面図である。
【図４】図４は、本発明の実施の形態１にかかる生体光学測定システムの測定プローブの基端部の長手方向に沿って切断した断面図である。
【図５】図５は、図４の矢視Ｂ方向の正面図である。
【図６】図６は、本発明の実施の形態１にかかる生体光学測定システムの生体光学測定装置に測定プローブを接続した際の状況を示す断面図である。
【図７】図７は、本発明の実施の形態１にかかる生体光学測定システムを内視鏡システムで使用する際の状況を示す図である。
【図８】図８は、本発明の生体光学測定システムが実行する処理の概要を示すフローチャートである。
【図９】図９は、本発明の実施の形態１にかかる生体光学測定装置のコネクタ部に磨耗が生じている際の状況を示す断面図である。
【図１０】図１０は、本発明の実施の形態２にかかる生体光学測定システムの生体光学測定装置のコネクタ部の中心軸に沿って切断した断面図である。
【図１１】図１１は、本発明の実施の形態２にかかる生体光学測定システムの測定プローブの基端部の中心軸に沿って切断した断面図である。
【図１２】図１２は、本発明の実施の形態２にかかる生体光学測定システムの生体光学測定装置に測定プローブを接続した際の状況を示す断面図である。
【図１３】図１３は、従来の生体光学測定装置および測定プローブのコネクタにＳＡＭコネクタを用いて接続した際の状況を示す断面図である。
【発明を実施するための形態】
【００１７】
以下、図面を参照して、本発明を実施するための形態（以下、「実施の形態」という）について説明する。また、図面の記載において、同一の部分には同一の符号を付して説明する。また、図面は、模式的なものであり、各部材の厚みと幅との関係、各部材の比率等は、現実と異なることに留意する必要がある。また、図面の相互間においても、互いの寸法の関係や比率が異なる部分が含まれる。なお、本実施の形態によって本発明が限定されるものではない。
【００１８】
（実施の形態１）
図１は、本発明の実施の形態１にかかる生体光学測定システムの構成を模式的に示すブロック図である。
【００１９】
図１に示す生体光学測定システム１は、散乱体である生体組織等の測定対象物に対して光学測定を行って測定対象物の性状（特性）を検出する生体光学測定装置２と、生体光学測定装置２に対して着脱自在であり、被検体内に挿入される測定プローブ３と、を備える。
【００２０】
まず、生体光学測定装置２について説明する。生体光学測定装置２は、電源２０と、照明部２１と、コネクタ部２２と、受光部２３と、供給部２４と、圧力検出部２５と、入力部２６と、出力部２７と、記録部２８と、制御部２９と、を備える。電源２０は、生体光学測定装置２の各部に電力を供給する。
【００２１】
照明部２１は、コネクタ部２２を介して測定対象物へ照明光を照射する。照明部２１は、白色ＬＥＤ（Light  Emitting  Diode）、キセノンランプ、タングステンランプおよびハロゲンランプのようなインコヒーレント光源と、必要に応じて一または複数のレンズとを用いて実現される。このようなレンズとして、たとえば集光レンズやコリメートレンズ等をあげることができる。照明部２１は、コネクタ部２２を介して測定対象物へ照射する照明光として、少なくとも一つのスペクトル成分を有するインコヒーレント光を測定プローブ３へ出力する。
【００２２】
コネクタ部２２は、測定プローブ３を生体光学測定装置２に着脱自在に接続する。コネクタ部２２は、ＳＭＡコネクタを用いて実現される。
【００２３】
ここで、コネクタ部２２の詳細な構成について説明する。図２は、コネクタ部２２の長手方向に沿って切断した断面図である。図３は、図２の矢視Ａ方向の正面図である。
【００２４】
図２および図３に示すように、コネクタ部２２は、生体光学測定装置２の筐体２ａに設けられたアダプタ部材２２１と、アダプタ部材２２１を筐体２ａに固定する第１の固定部材２２２と、アダプタ部材２２１に挿入可能であり、複数の光ファイバ２１ａを保持する保持部材２２３と、保持部材２２３をアダプタ部材２２１に固定する第２の固定部材２２４と、を備える。
【００２５】
アダプタ部材２２１は、筒状をなし、ステンレス等を用いて形成される。アダプタ部材２２１は、生体光学測定装置２の筐体２ａから一部が露出して設けられる。アダプタ部材２２１は、外周面に所定のピッチでネジ山が設けられた雄ネジ部２２１ａが形成されている。また、アダプタ部材２２１には、径方向に沿って貫通する貫通孔２２１ｂが形成されている。さらに、アダプタ部材２２１には、測定プローブ３と対向する面に円環状に切り欠かれた切欠部２２１ｃ（ザグリ）が形成されている。切欠部２２１ｃの外周の一部には、アダプタ部材２２１の外周側と切欠部２２１ｃとを連通する溝部２２１ｄが形成されている（図３を参照）。
【００２６】
第１の固定部材２２２は、ナット等を用いて構成される。第１の固定部材２２２は、内周側に雄ネジ部２２１ａと螺合可能な雌ネジ部２２２ａを有する。第１の固定部材２２２は、雌ネジ部２２２ａをアダプタ部材２２１の雄ネジ部２２１ａに螺合させることで、アダプタ部材２２１を筐体２ａに固定する。
【００２７】
保持部材２２３は、セラミック等を用いて形成される。保持部材２２３は、内部に光ファイバ２１ａを保持する円柱状の本体部２２３ａと、本体部２２３ａの径方向に向けて突起して設けられた円環状のフランジ部２２３ｂと、を有する。本体部２２３ａは、アダプタ部材２２１に挿入した際に隙間がなくなるようにアダプタ部材２２１の内径と略同じ大きさで形成される。
【００２８】
第２の固定部材２２４は、断面がＣ字状をなし、内部に保持部材２２３を挿入可能な挿入孔２２４ａを有する。また、第２の固定部材２２４は、挿入孔２２４ａの内周の一部に雄ネジ部２２１ａと螺合可能な雌ネジ部２２４ｂを有する。第２の固定部材２２４は、雌ネジ部２２４ｂをアダプタ部材２２１の雄ネジ部２２１ａに螺合させることで、アダプタ部材２２１に保持部材２２３を固定する。
【００２９】
このように構成されたコネクタ部２２は、保持部材２２３の光ファイバ２１ａを測定プローブ３に光学的に接続する。これにより、コネクタ部２２は、保持部材２２３の光ファイバ２１ａを介して照明部２１が出射した照明光を測定プローブ３に伝播させるとともに、測定プローブ３から出射されて生体組織で反射および／または散乱した照明光の戻り光を受光部２３へ伝播させる。なお、図２においては、保持部材２２３の中心軸を通過する断面を例に説明した。
【００３０】
図１に戻り、生体光学測定装置２の構成の説明を続ける。
受光部２３は、測定プローブ３から出射された照明光が測定対象物で反射および／または散乱した照明光の戻り光を受光して測定する。受光部２３は、複数の分光測定器または受光センサ等を用いて実現される。具体的には、受光部２３は、分光測定器が後述する測定プローブの受光ファイバの数に応じて設けられる。受光部２３は、測定プローブ３から入射された散乱光のスペクトル成分および強度分布を測定して、この測定結果を制御部２９へ出力する。
【００３１】
供給部２４は、制御部２９の制御のもと、コネクタ部２２の内部空間に空気を供給する。供給部２４は、空気を送気するポンプ等を用いて構成される。具体的には、供給部２４は、空気を供給する供給路として機能するチューブ等の配管２４ａおよびアダプタ部材２２１の貫通孔２２１ｂを介してコネクタ部２２の内部空間に空気を供給する（図２を参照）。
【００３２】
圧力検出部２５は、コネクタ部２２と供給部２４との配管２４ａ上に設けられる。圧力検出部２５は、配管２４ａ内における圧力値（気圧）を検出し、検出結果を制御部２９へ出力する。圧力検出部２５は、圧力センサや気圧センサ等を用いて実現される。
【００３３】
入力部２６は、生体光学測定装置２の起動を指示する指示信号または他の各種の動作を指示する指示信号の入力を受け付けて制御部２９へ出力する。入力部２６は、プッシュ式のスイッチやタッチパネル等を用いて実現される。
【００３４】
出力部２７は、生体光学測定装置２における各種情報を出力する。具体的には、出力部２７は、制御部２９の制御のもと、コネクタ部２２に摩耗が生じていることを示す情報を出力する。出力部２７は、液晶または有機ＥＬ（Electro  Luminescence）等の表示ディスプレイおよびスピーカ等を用いて実現される。
【００３５】
記録部２８は、生体光学測定装置２を動作させるための各種プログラム、光学測定処理に使用される各種データや各種パラメータを記録する。記録部２８は、揮発性メモリおよび不揮発性メモリ等を用いて実現される。また、記録部２８は、生体光学測定装置２の処理中の情報を一時的に記録する。さらに、記録部２８は、生体光学測定装置２による被検体の測定結果を記録する。なお、記録部２８を、生体光学測定装置２の外部から装着されるメモリカード等を用いて構成してもよい。
【００３６】
制御部２９は、生体光学測定装置２の各部の処理動作を制御する。制御部２９は、ＣＰＵ（Central  Processing  Unit）等を用いて構成され、生体光学測定装置２の各部に対応する指示情報やデータの転送等を行うことによって、生体光学測定装置２を統括的に制御する。制御部２９は、演算部２９ａと、磨耗判定部２９ｂと、出力制御部２９ｃと、を有する。
【００３７】
演算部２９ａは、受光部２３による測定結果に基づいて、複数の演算処理を行い、測定対象物の性状に関する特性値を算出する。この特性値の種別は、たとえば入力部２６が受け付けた指示信号にしたがって設定される。
【００３８】
磨耗判定部２９ｂは、測定プローブ３がコネクタ部２２に接続された状態で、圧力検出部２５が検出した圧力値に基づいて、コネクタ部２２の磨耗を判定する。たとえば、磨耗判定部２９ｂは、圧力検出部２５から入力される圧力値が予め設定された閾値以上であるか否かを判定し、圧力値が閾値以上でない場合、コネクタ部２２に磨耗が生じていると判定する。
【００３９】
出力制御部２９ｃは、磨耗判定部２９ｂによってコネクタ部２２に磨耗が生じていると判定された場合、コネクタ部２２に磨耗が生じていることを示す情報を出力部２７に出力させる。
【００４０】
つぎに、測定プローブ３について説明する。測定プローブ３は、少なくとも複数の光ファイバを用いて構成される。具体的には、測定プローブ３は、測定対象物に照明光を出射する照明ファイバと、測定対象物で反射および／または散乱した照明光の戻り光が異なる角度で入射する複数の受光ファイバとを用いて実現される。測定プローブ３は、生体光学測定装置２のコネクタ部２２に着脱自在に接続される基端部３１と、可撓性を有する可撓部３２と、照明部２１から供給された照明光を出射するとともに、測定対象物からの照明光の戻り光を受光する先端部３３とを備える。また、先端部３３には、ロッドレンズ３４が設けられている。
【００４１】
ここで、測定プローブ３の基端部３１の詳細な構成について説明する。図４は、測定プローブ３の基端部３１の長手方向に沿って切断した断面図である。図５は、図４の矢視Ｂ方向の正面図である。
【００４２】
図４および図５に示すように、基端部３１は、アダプタ部材２２１に挿入可能な保持部材３１１と、保持部材３１１をアダプタ部材２２１に固定する固定部材３１２と、を有する。
【００４３】
保持部材３１１は、円柱状をなし、内部に光ファイバ２１ｂを保持する本体部３１１ａと、径方向に向けて突起して設けられた円環状のフランジ部３１１ｂと、を有する。本体部３１１ａには、コネクタ部２２の対向する面の他面側と連通し、中心に向けて一部が切り欠かれた切欠部３１１ｃが形成されている。また、フランジ部３１１ｂの径は、アダプタ部材２２１の内径よりも大きく、かつ、アダプタ部材２２１の外径より小さい。さらに、フランジ部３１１ｂには、固定部材３１２と対向する面であって、保持部材３１１の中心軸と直交する面に、切欠部３１１ｃと連通し、外周側に開口する溝部３１１ｄが形成されている。
【００４４】
固定部材３１２は、断面がＣ字状をなし、内部に保持部材３１１を挿入可能な挿入孔３１２ａを有する。また、固定部材３１２は、内周の端部側の一部に雄ネジ部２２１ａと螺合可能な雄ネジ部３１２ｂを有する。固定部材３１２は、雄ネジ部３１２ｂをアダプタ部材２２１の雄ネジ部２２１ａに螺合させることで、アダプタ部材２２１に保持部材３１１を固定する。
【００４５】
このように構成された測定プローブ３の基端部３１は、図６に示すように、生体光学測定装置２のコネクタ部２２に接続されることにより、光ファイバ２１ａと光ファイバ２１ｂが光学的に接続される。
【００４６】
以上のように構成された生体光学測定システム１は、図７に示すように、内視鏡システム１０の内視鏡装置１１（内視鏡スコープ）に設けられた処置具チャンネル１１ａを介して測定プローブ３が被検体内に挿入され、照明ファイバが測定対象物に照明光を出射し、受光ファイバが測定対象物で反射および／または散乱した照明光の戻り光を異なる角度で受光して生体光学測定装置２の受光部２３に伝播して出射する。その後、演算部２９ａは、受光部２３の測定結果に基づいて、測定対象物の性状の特性値を演算する。
【００４７】
つぎに、生体光学測定システム１が実行する処理について説明する。図８は、生体光学測定システム１が実行する処理の概要を示すフローチャートである。
【００４８】
図８に示すように、測定プローブ３が生体光学測定装置２に接続された状態で、入力部２６から生体組織の測定を開始する開始信号が入力された場合（ステップＳ１０１：Ｙｅｓ）、制御部２９は、供給部２４を駆動してアダプタ部材２２１内に空気を供給させる（ステップＳ１０２）。
【００４９】
続いて、制御部２９は、供給部２４が駆動してから所定時間経過したか否かを判断する（ステップＳ１０３）。制御部２９が所定時間経過していると判断した場合（ステップＳ１０３：Ｙｅｓ）、生体光学測定システム１は、ステップＳ１０４へ移行する。これに対して、制御部２９が所定時間経過していないと判断した場合（ステップＳ１０３：Ｎｏ）、生体光学測定システム１は、ステップＳ１０３の処理を続ける。
【００５０】
ステップＳ１０４において、磨耗判定部２９ｂは、圧力検出部２５が検出した圧力値が所定の閾値以上であるか否かを判定する。たとえば、図９に示すように、アダプタ部材２２１の内周側の表面に磨耗が生じている場合において、磨耗によって生じた隙間と溝部３１１ｄとが連通し、供給部２４が供給する空気が外部に漏れることで、圧力検出部２５が検出する配管２４ａ内の圧力値が所定の閾値以上にならないとき、磨耗判定部２９ｂは、コネクタ部２２に磨耗が生じていると判定する。これにより、ユーザは、使用によって生じたコネクタ部２２の磨耗を確実に把握することができる。磨耗判定部２９ｂが圧力検出部２５によって検出された圧力値が所定の閾値以上であると判定した場合（ステップＳ１０４：Ｙｅｓ）、生体光学測定システム１は、生体組織に対する測定を開始する（ステップＳ１０５）。
【００５１】
続いて、出力制御部２９ｃは、出力部２７に測定結果を出力させる（ステップＳ１０６）。ステップＳ１０６の後、生体光学測定システム１は、本処理を終了する。
【００５２】
ステップＳ１０４において、磨耗判定部２９ｂが圧力検出部２５によって検出された圧力値が所定の閾値以上でないと判定した場合（ステップＳ１０４：Ｎｏ）、出力制御部２９ｃは、コネクタ部２２が磨耗していることを示す警告を出力部２７に出力させる（ステップＳ１０７）。ステップＳ１０７の後、生体光学測定システム１は、本処理を終了する。
【００５３】
以上説明した本発明の実施の形態１によれば、測定プローブ３がコネクタ部２２に接続された状態で、磨耗判定部２９ｂがコネクタ部２２に空気を供給する供給部２４とコネクタ部２２との配管２４ａ上に設けられた圧力検出部２５によって検出された配管２４ａ内における圧力値に基づいて、コネクタ部２２の磨耗を判定するので、コネクタ部２２の磨耗を正確に検知することができる。
【００５４】
また、本発明の実施の形態１によれば、出力制御部２９ｃが磨耗判定部２９ｂによってコネクタ部２２に磨耗が生じていると判定された場合、コネクタ部２２に磨耗が生じている旨を出力部２７に出力させる。この結果、ユーザは、コネクタ部２２の磨耗を確実に把握することができる。
【００５５】
なお、本発明の実施の形態１では、供給部２４がコネクタ部２２内に空気を供給していたが、たとえばコネクタ部２２内の空気を吸気してコネクタ部２２内を負圧状態にしてもよい。この場合、磨耗判定部２９ｂは、圧力検出部２５が検出した圧力値が所定の閾値以下であるか否かを判定することによって、コネクタ部２２内に摩耗が生じているか否かを判定すればよい。
【００５６】
（実施の形態２）
つぎに、本発明の実施の形態２について説明する。本実施の形態２にかかる生体光学測定システムは、上述した実施の形態１にかかる生体光学測定装置のコネクタ部および測定プローブの基端部が異なる。このため、以下においては、生体光学測定装置のコネクタ部および測定プローブの基端部について説明する。なお、上述した実施の形態１と同一の構成には同一の符号を付して説明する。
【００５７】
図１０は、本発明の実施の形態２にかかる生体光学測定装置１００のコネクタ部４００の中心軸に沿って切断した断面図である。
【００５８】
図１０に示すコネクタ部４００は、円柱状をなす本体部４１０と、本体部４１０の径方向に向けて突起して設けられた円環状のフランジ部４２０と、を有する。
【００５９】
本体部４１０は、円柱状をなし、複数の光ファイバ２１ａを保持する。本体部４１０には、後述する測定プローブ５００の基端部が挿入される挿入孔４１１が設けられている。本体部４１０には、挿入孔４１１の径方向に向けて円環状に切り欠かれた第１の溝部４１２および第２の溝部４１３が形成されている。第１の溝部４１２には、径方向に沿って貫通し、コネクタ部４００内の空気を排気する排気孔４１２ａが形成されている。また、第２の溝部４１３には、径方向に沿って貫通し、配管２４ａを介して供給部２４に接続される貫通孔４１３ａが形成されている。
【００６０】
つぎに、測定プローブ５００の基端部６００について説明する。図１１は、本発明の実施の形態２にかかる測定プローブ５００の基端部６００の中心軸に沿って切断した断面図である。
【００６１】
図１１に示す測定プローブ５００の基端部６００は、円柱状をなす本体部６１０と、円環状をなす押圧部材６２０と、を有する。
【００６２】
本体部６１０は、光ファイバ２１ａを保持する。本体部６１０には、中心側に向けて円環状に切り欠かれた溝部６１０ａが形成されている。
【００６３】
押圧部材６２０は、円環状をなし、本体部６１０の溝部６１０ａに取り付けられている。押圧部材６２０は、径方向に弾性変形可能なリングバネを用いて構成される。押圧部材６２０の径と直交する高さＷ２は、溝部６１０ａの溝幅Ｗ１より小さい。
【００６４】
このように構成された生体光学測定装置１００において、コネクタ部４００に測定プローブ５００の基端部６００を挿入する際に、押圧部材６２０がコネクタ部４００の挿入孔４１１と同じ径になって中心側に圧縮した状態で挿入される。その後、図１２に示すように、押圧部材６２０は、第１の溝部４１２に到達した場合において、径方向に向けて伸長する。このとき、押圧部材６２０は、コネクタ部４００から図で右向きの力を受ける（Ｒ面の効果）。これにより、基端部６００は、コネクタ部４００に対して抜けないように固定されると同時にコネクタ部４００に押圧され、接続効率が確保される。この結果、ユーザは、１回の操作で測定プローブ５００を生体光学測定装置１００に接続することができ、コネクタ部４００が保持する光ファイバ２１ａと測定プローブ５００の光ファイバ２１ｂとを光学的に接続することができる。
【００６５】
また、測定プローブ５００がコネクタ部４００に接続された状態で、制御部２９は、供給部２４に空気を供給させる。この場合、磨耗判定部２９ｂは、所定時間経過した後に、圧力検出部２５が検出した圧力値に基づいて、コネクタ部４００の磨耗を判定する。その後、出力制御部２９ｃは、磨耗判定部２９ｂがコネクタ部４００に摩耗が生じていると判定した場合、コネクタ部４００に磨耗が生じている旨を出力部２７に出力させる。これにより、ユーザは、コネクタ部４００内に生じた磨耗を正確に把握することができる。
【００６６】
以上説明した本発明の実施の形態２によれば、１回の操作で測定プローブ５００をコネクタ部４００に接続することができるとともに、コネクタ部４００の摩耗を判定することができる。
【００６７】
さらに、本発明の実施の形態２によれば、コネクタ部４００および測定プローブ５００の構成を上述した実施の形態１に比して簡易にすることができる。
【符号の説明】
【００６８】
１  生体光学測定システム
２，１００，１０００  生体光学測定装置
２ａ，１００１  筐体
３，５００  測定プローブ
１０  内視鏡システム
１１  内視鏡装置
１１ａ  処置具チャンネル
２０  電源
２１ａ，２１ｂ，１００４  光ファイバ
２１  照明部
２２，１００２  コネクタ部
２３  受光部
２４  供給部
２４ａ  配管
２５  圧力検出部
２６  入力部
２７  出力部
２８  記録部
２９  制御部
２９ａ  演算部
２９ｂ  磨耗判定部
２９ｃ  出力制御部
３１，６００  基端部
３２  可撓部
３３  先端部
３４  ロッドレンズ
２２１  アダプタ部材
２２１ａ  雄ネジ部
２２１ｂ，４１３ａ  貫通孔
２２１ｃ，３１１ｃ  切欠部
２２１ｄ,３１１ｄ，６１０ａ  溝部
２２２，２２４，３１２  固定部材
２２２ａ，２２４ｂ，３１２ｂ  雌ネジ部
２２３，３１１  保持部材
２２３ａ，３１１ａ，４１０，６１０  本体部
２２３ｂ，３１１ｂ，４２０  フランジ部
２２４ａ，３１２ａ，４１１  挿入孔
４００  コネクタ部
４１２  第１の溝部
４１２ａ  排気孔
４１３  第２の溝部
６２０  押圧部材
１００３  ナット
１００５，１００６  ＳＭＡコネクタ
【要約】
被検体内に挿入される測定プローブ３が接続され、生体組織に対して光学測定を行う生体光学測定装置２であって、測定プローブ３が着脱自在に接続されるコネクタ部２２と、コネクタ部２２に空気を供給する供給部２４と、コネクタ部２２と供給部２４とを連通する配管２４ａと、配管２４ａの圧力値を検出する圧力検出部２５と、測定プローブ３がコネクタ部２２に接続された状態で、圧力検出部２５が検出した圧力値に基づいて、コネクタ部２２の摩耗を判定する磨耗判定部２９ｂと、を備える。【図１】
0005526292.tif 000002
【図２】
0005526292.tif 000003
【図３】
0005526292.tif 000004
【図４】
0005526292.tif 000005
【図５】
0005526292.tif 000006
【図６】
0005526292.tif 000007
【図７】
0005526292.tif 000008
【図８】
0005526292.tif 000009
【図９】
0005526292.tif 000010
【図１０】
0005526292.tif 000011
【図１１】
0005526292.tif 000012
【図１２】
0005526292.tif 000013
【図１３】
0005526292.tif 000014